(57)【要約】【課題】本発明は、コンテンツを送信するための接近制御方法および前記接近制御方法を用いるネットワークのノードに関する。【解決手段】本発明に係る単一接近制御ドメイン（SPC：Single Proximity Control domain）、混合接近制御ドメイン（MPC：Mixed Proximity Control domain）およびネットワーク基盤サービスドメインのそれぞれのドメインによって相違する接近制御メカニズムを遂行し、前記ドメインに含まれたそれぞれのノードは互いに隣接するノードとの物理的距離に基づいて前記接近制御メカニズムを遂行する。【選択図】図２
2008141717.tif 000002
【特許請求の範囲】
【請求項１】
コンテンツを送信するための接近制御方法において、
単一接近制御ドメイン、混合接近制御ドメインおよびネットワーク基盤サービスドメインのそれぞれのドメインによって相違する接近制御メカニズムを遂行し、
前記ドメインに含まれたそれぞれのノードは、互いに隣接するノードとの物理的距離に基づいて前記接近制御メカニズムを遂行することを特徴とする接近制御方法。
【請求項２】
前記単一接近制御ドメインは、コンテンツを送信する送信元ノードと前記コンテンツを受信する宛先ノードとの間に論理的なポイントツーポイント連結が可能なドメインを含むことを特徴とする請求項１に記載の接近制御方法。
【請求項３】
前記単一接近制御ドメインは、それぞれの構成要素間に接近有効性を確認するために共通のリンクに対する距離測定方法を含み、
前記単一接近制御ドメイン内における接近制御メカニズムは、前記距離測定方法を用いて測定された物理的距離を接近媒介変数として含むことを特徴とする請求項２に記載の接近制御方法。
【請求項４】
前記単一接近制御ドメインは中継ノードを含み、
前記中継ノードは、前記単一接近制御ドメインで交換網の役割を遂行することを特徴とする請求項２に記載の接近制御方法。
【請求項５】
前記中継ノードはＩＥＥＥ８０２  ＡＶＢを含み、
前記ＩＥＥＥ８０２  ＡＶＢは、ＩＰが含む第１ＤＴＣＰを初期参照モデルとする第２ＤＴＣＰを含むことを特徴とする請求項４に記載の接近制御方法。
【請求項６】
前記第２ＤＴＣＰは、第２階層への接近可能性を有する場合、前記第２ＤＴＣＰのドメインのうちの一つでＩＥＥＥ８０２．１ｘ  ｗｉｒｅｌｅｓｓを含むことを特徴とする請求項５に記載の接近制御方法。
【請求項７】
前記混合接近制御ドメインは、前記単一接近制御ドメインで用いられる接近制御メカニズムおよび追加接近制御メカニズムを含むことを特徴とする請求項１に記載の接近制御方法。
【請求項８】
前記追加接近制御メカニズムは、前記単一接近制御ドメインが含む中継ノードとコンテンツの宛先ノードとの間にエッジノードを含み、
前記エッジノードは、前記中継ノードおよび前記宛先ノード間に前記追加接近制御メカニズムを遂行することを特徴とする請求項７に記載の接近制御方法。
【請求項９】
前記追加接近制御メカニズムは、ＩＥＥＥ１３９４、無線ＩＥＥＥ１３９４、ブルートゥース、ＵＳＢまたは無線ＵＳＢを用いた接近制御メカニズムを含むことを特徴とする請求項７に記載の接近制御方法。
【請求項１０】
前記ネットワーク基盤サービスドメインは、接近制御のための中継制御ノードを含み、
前記中継制御ノードは、コンテンツを送信するＣＰノードによって認証されることを特徴とする請求項１に記載の接近制御方法。
【請求項１１】
前記ネットワーク基盤サービスドメインは、前記単一接近制御ドメインまたは前記混合接近制御ドメインをさらに含むことを特徴とする請求項１０に記載の接近制御方法。
【請求項１２】
前記中継制御ノードは、前記ＣＰと前記コンテンツの宛先ノードを含むホームネットワークとの間で中継の役割を遂行するＳＴＢを含むことを特徴とする請求項１０に記載の接近制御方法。
【請求項１３】
請求項１ないし１２のいずれか一項の方法を実行させるためのプログラムを記録したコンピュータ読み取り可能な記録媒体。
【請求項１４】
ホームネットワークに含まれたそれぞれのノードにおいて、
コンテンツが送信されるリンク上に存在する前ノードまたは次ノードとの接近有効性を確認する接近有効性確認部、
を含むことを特徴とするノード。
【請求項１５】
前記接近有効性確認部は、所定の距離測定方法を用いて測定された物理的距離を接近媒介変数として用いて前記接近有効性を確認することを特徴とする請求項１４に記載のノード。
【請求項１６】
前記距離測定方法は、ＩＰが含む第１ＤＴＣＰを初期参照モデルとする第２ＤＴＣＰを含むことを特徴とする請求項１５に記載のノード。
【請求項１７】
（１）前記ホームネットワークに連結された家電製品、（２）セットップボックスを含む中継制御ノード、（３）ＩＥＥＥ８０２  ＡＶＢを含む中継ノード、（４）ＩＥＥＥ１３９４、無線ＩＥＥＥ１３９４、ブルートゥース、ＵＳＢまたは無線ＵＳＢと関連したメカニズムを含むエッジノードであることを特徴とする請求項１４に記載のノード。
【請求項１８】
ＣＰノードとホームネットワークとの間の中継を制御する中継制御ノードにおいて、
コンテンツを提供するＣＰノードとの認証プロセスを遂行する認証プロセス処理部と、
前記コンテンツが送信されるリンク上に存在する次ノードとの接近有効性を確認する接近有効性確認部と、
を含むことを特徴とする中継制御ノード。
【請求項１９】
前記接近有効性確認部は、所定の距離測定方法を介して測定された物理的距離を接近媒介変数として用いて前記接近有効性を確認することを特徴とする請求項１８に記載の中継制御ノード。
【請求項２０】
前記距離測定方法は、ＩＰが含む第１ＤＴＣＰを初期参照モデルとする第２ＤＴＣＰを含むことを特徴とする請求項１９に記載の中継制御ノード。
【請求項２１】
暗号化されたコンテンツストリームを前記ＣＰノードから受信して前記コンテンツの宛先ノードに送信する送受信部と、
前記接近有効性が確認されたリンクを介して前記宛先ノードに装置ＡＫＥを送信する装置ＡＫＥ処理部と、
をさらに含むことを特徴とする請求項１８に記載の中継制御ノード。
【請求項２２】
前記装置ＡＫＥ処理部は、
前記リンク内に存在するすべてのノード間の接近有効性が確認された後、前記宛先ノードに前記装置ＡＫＥを送信することを特徴とする請求項２１に記載の中継制御ノード。
【発明の詳細な説明】
【技術分野】
【０００１】
本発明はコンテンツを送信するための接近制御方法および前記接近制御方法を用いるネットワークのノードに関し、より詳細には、コンテンツの送信において、終端（end-to-end）間の正確な距離を測定することで、向上したＤＲＭ（Digital Rights Management）を遂行することができる接近制御方法および前記接近制御方法を用いるネットワークのノードに関する。
【背景技術】
【０００２】
ＤＲＭとは、デジタルコンテンツの無断使用を防止して著作権に関連する当事者の利益と権利を保護する技術とサービスであって、デジタル著作権管理を指す。すなわち、コンテンツ提供者の権利と利益を安全に保護して違法コピーを防止し、使用料賦課や決済代行などコンテンツの生成における流通・管理までを一括的にサポートする技術である。
【０００３】
これには、合法なユーザのみがコンテンツを使用することができ、適切な料金を支払うデジタル著作権管理技術、著作権承認と執行のためのソフトウェアおよびセキュリティ技術、支払・決済技術がすべて含まれている。このようなＤＲＭは、音楽共有サービスで有名な「ナップスター」が、２００１年にＭＰ３著作権保護のために採択したことをきっかけにオンラインコンテンツが有料化され重要技術として浮上し、米国のマサチューセッツ工科大学では未来の１０大核心情報技術に選ばれた。
【０００４】
図１は、従来技術において、ホームネットワークにおけるＤＲＭ技術を説明するための一例である。
【０００５】
図面符号１００は、ホームネットワークで用いられる装置と、それぞれの装置で用いられる相違するコピー防止メカニズムを示している。すなわち、それぞれの装置は、図１に示されたように、ＣＡ（Certificate Authority）１０１、ＤＴＣＰ（Digital Transmission Content Protection）１０２、ＣＰＲＭ（Content Protection for Removable Media）１０３およびＨＤＣＰ（High-Bandwidth Digital Copy Protection）１０４などの相違するコピー防止メカニズムを備えているため、このようなコピー防止メカニズムの間を互換するための別途の構成を含まなければならないという不便さがあり、費用の増加など多くの問題点を抱えている。
【０００６】
前記のようなＤＲＭ技術の問題点を解決するための従来技術としてＲＴＴ（Round-Trip Time）を用いるいくつかの案件があるものの、プライバシー（privacy）およびコンテンツの正確な保護が不十分な状態である。
【０００７】
例えば、ＩＰ（Internet Protocol）のＤＴＣＰは、７ミリ秒の終端間の遅延時間制限およびＲＴＴのための３ホップ（hop）の制限を要する。前記信号は１マイクロ秒で１００メートル以上の移動が可能であるため、７ミリ秒の制限では数百キロメートルの誤差が生じ得る。また、ホップに対する制限はホップカウントを提供するが、サーバと受信側とのリンクに対する実際距離を提供することはできない。すなわち、このようなネットワークにおいては終端間の正確な距離測定が困難であるという問題点がある。
【０００８】
このような問題点は、ＡＶＢを用いるホームネットワークにおいても発生し得る。ＡＶＢ（Audio/Video Bridge）とは、時間−同期化（time-synchronization）を用いるＩＥＥＥ８０２ネットワークで遅延を抑えたストリーミングサービスを提供する技術である。このようなＩＥＥＥ８０２ネットワークにも、上述したように終端間の正確な距離を測定するためのメカニズムが存在しないため、前記のようなストリーミングサービスを介して提供されるコンテンツのＤＲＭの遂行が困難であるという問題点を有する。
【発明の開示】
【発明が解決しようとする課題】
【０００９】
本発明は、従来技術の前記問題点を解決するために創案されたものであって、コンテンツを送信するための接近制御方法および前記接近制御方法を用いるネットワークのノードに関する新しい技術を提案する。
【００１０】
本発明は、コンテンツを送信するためにＩＥＥＥ８０２．１ＡＳに基づいたホームネットワークで接近制御を遂行することを目的とする。
【００１１】
また、本発明は、前記ホームネットワークの互いに隣接するノード間に正確な物理的距離を測定し、前記物理的距離を用いて前記ノード間に接近有効性を確認することを他の目的とする。
【００１２】
また、本発明は、前記接近有効性が確認されたノード間のリンクを介してコンテンツを送信し、前記コンテンツが有効な距離に対してのみ送信されるようにすることで、前記コンテンツに対するＤＲＭ（Digital Rights Management）を遂行することをさらに他の目的とする。
【課題を解決するための手段】
【００１３】
前記の目的を達成し、上述した従来技術の問題点を解決するために、本発明の一実施形態に係る単一接近制御ドメイン（SPC：Single Proximity Control domain）、混合接近制御ドメイン（MPC：Mixed Proximity Control domain）およびネットワーク基盤サービスドメインのそれぞれのドメインによって相違する接近制御メカニズムを遂行し、前記ドメインに含まれたそれぞれのノードは、互いに隣接するノードとの物理的距離に基づいて前記接近制御を遂行する。
【００１４】
本発明の一態様によると、前記単一接近制御ドメインは、コンテンツを送信する送信元ノードと前記コンテンツを受信する宛先ノードとの間に論理的なポイントツーポイント（logically point-to-point）連結が可能なドメインを含むことがある。また、前記単一接近制御ドメインは中継ノードを含むことがあり、前記中継ノードは、前記単一接近制御ドメインで交換網（switched network）の役割を遂行したりする。それだけでなく、前記中継ノードはＩＥＥＥ８０２  ＡＶＢ（IEEE802 Audio/Video Bridge）を含むことがあり、前記ＩＥＥＥ８０２  ＡＶＢは、ＩＰ（Internet Protocol）が含む第１ＤＴＣＰ（Digital Transmission content protection）を初期参照モデルとする第２ＤＴＣＰを含んだりする。
【００１５】
本発明の他の態様によると、前記単一接近制御ドメインは、それぞれの構成要素間に接近有効性を確認するため、共通のリンクに対する距離測定方法を含むことがあり、前記単一接近制御ドメイン内における接近制御メカニズムは、前記距離測定方法を用いて測定された物理的距離を接近媒介変数として含んだりする。
【００１６】
本発明のさらに他の態様によると、前記混合接近制御ドメインは、前記単一接近制御ドメインで用いられる接近制御メカニズムおよび追加接近制御メカニズムを含むことがある。このような前記追加接近制御メカニズムは、前記単一接近制御ドメインが含む中継ノードとコンテンツの宛先ノードとの間にエッジノードを含むことがあり、前記エッジノードは、前記中継ノードおよび前記宛先ノード間に前記追加接近制御メカニズムを遂行したりする。
【００１７】
本発明の他の実施形態において、ホームネットワークに含まれたそれぞれのノードは、コンテンツが送信されるリンク上に存在する前ノードまたは次ノードとの接近有効性を確認する接近有効性確認部を含む。このとき、前記接近有効性確認部は、所定の（predetermined）距離測定方法を用いて測定された物理的距離を接近媒介変数として用いて前記接近有効性を確認することができる。
【発明の効果】
【００１８】
本発明によると、コンテンツを送信するためにＩＥＥＥ８０２．１ＡＳに基づいたホームネットワークで接近制御を遂行することができる。
【００１９】
本発明によると、前記ホームネットワークの互いに隣接するノード間に正確な物理的距離を測定し、前記物理的距離を用いて前記ノード間に接近有効性を確認することができる。
【００２０】
本発明によると、前記接近有効性が確認されたノード間のリンクを介してコンテンツを送信し、前記コンテンツが有効な距離に対してのみ送信されるようにすることで、前記コンテンツに対するＤＲＭ（Digital Rights Management）を遂行することができる。
【発明を実施するための最良の形態】
【００２１】
以下、添付の図面を参照して、本発明に係る多様な実施形態を詳しく説明する。
【００２２】
ホームネットワークとは、家庭内の家電製品をすべて連結して一度に制御する体制を指す。このとき、ホームネットワークには、ホームＰＣ、ホームシアター（home theater）、デジタルテレビのような家電製品が多様な中継装置を用いて互いに連結される。
【００２３】
また、前記ホームネットワークは、セットップボックス（STB：Set-Top Box）を用いて外部ネットワークと連結される。このような前記セットップボックスは、一般的には、ビデオ・オン・デマンド（VOD）や映像版ホームショッピング、ネットワークゲームといった次世代型の双方向マルチメディア通信サービス（いわゆるインタラクティブ・テレビ）を利用する際に必要となる家庭用通信端末を指す。テレビセットの上に置いて利用する箱という意味から“加入者信号変換装置（IP set-top box）”と呼ばれたりもする。
【００２４】
また、双方向テレビや電話会社の映像送信サービス、例えば米国の地域電話会社が提供しているビデオダイヤルトーンなどの網と接続し、家庭ではテレビモニターなどに連結して用いる。このようなセットップボックスは、電話会社や総合有線放送（CATV）局に設置されているビデオサーバなどと通信する以外に、基本機能として映像信号の受信・変換機能を備えている。また、電話やＰＣ通信などのデータ通信サービスも同時に利用することができるように電話インターフェイスや個人用コンピュータ（PC）との接続インターフェイスを有するなど多様な規格が検討されている。
【００２５】
すなわち、前記ホームネットワークは前記家電製品を連結し、前記セットップボックスを用いて外部からコンテンツの送信を受けて用いることができる。このとき、ＣＰ（Content Provider）としては、このような前記コンテンツに対するＤＲＭ（Digital Rights Management）が必要となり、前記コンテンツが前記ホームネットワーク内でのみ送信されるように調節する必要が生じる。
【００２６】
このため、全体ネットワークでは、前記全体ネットワークに含まれたノード間に物理的距離による接近制御方法を用いたりする。
【００２７】
図２は、本発明の第１実施形態において、接近制御方法を説明するための図である。
【００２８】
コンテンツを送信するための接近制御方法において、全体ネットワーク２００は、単一接近制御ドメイン２０１、混合接近制御ドメイン２０２およびネットワーク基盤サービスドメイン２０３のそれぞれのドメインによって相違する接近制御メカニズムを遂行し、前記ドメインに含まれたそれぞれのノードは、互いに隣接するノードとの物理的距離に基づいて前記接近制御メカニズムを遂行する。
【００２９】
単一接近制御ドメイン２０１は、図２に示されたように、ＩＥＥＥ８０２に基づいたホームネットワーク２０４で単一接近制御メカニズムを有するドメインを指す。このとき、単一接近制御ドメインは、コンテンツを送信する送信元ノード２０５と前記コンテンツを受信する宛先ノード２０６との間に論理的なポイントツーポイント（logically point-to-point）連結が可能なドメインであり、このような単一接近制御ドメイン２０１は、それぞれの構成要素間に接近有効性を確認するため、共通のリンクに対する距離測定方法を含むことがある。
【００３０】
ここで、送信元ノードは、ホームネットワーク２０４を介して連結された家電製品、または外部ネットワークとの連結のためのセットップボックスを含んだりする。
【００３１】
また、単一接近制御ドメイン２０１内における接近制御メカニズムは、前記距離測定方法を用いて測定された物理的距離を接近媒介変数として含むことがある。これを介して、ＩＥＥＥ８０２．１ＡＳ基盤のＤＴＣＰのための非常に正確な位置測定機能を提供することができる。
【００３２】
このような、単一接近制御ドメイン２０１は中継ノード２０７を含むことがあり、中継ノード２０７は、単一接近制御ドメイン２０１で交換網（switched network）の役割を遂行したりする。
【００３３】
中継ノード２０７はＩＥＥＥ８０２  ＡＶＢを含むことがあり、前記ＩＥＥＥ８０２  ＡＶＢは、ＩＰ（Internet Protocol）が含む第１ＤＴＣＰを初期参照モデルとする第２ＤＴＣＰを含んだりする。また、前記第２ＤＴＣＰは、第２階層（layer2）への接近可能性を有する場合、前記第２ＤＴＣＰのドメインのうちの一つでＩＥＥＥ８０２．１ｘ  ｗｉｒｅｌｅｓｓを含んだりする。
【００３４】
図３は、単一接近制御ドメインにおける接近制御方法を説明するための一例である。
【００３５】
段階３０１で、送信元ノード２０５は、宛先ノード２０６のコンテンツ要請に従ってＥＭＩ（Encrypted Mode Indicator）セットを含む暗号化されたコンテンツストリームを宛先ノード２０６に送信する。このとき、送信元ノード２０５がホームネットワーク２０４を介して連結された家電製品である場合、前記暗号化されたコンテンツストリームは前記家電製品が含むコンテンツに基づいて生成され、送信元ノード２０５が前記セットップボックスである場合、前記暗号化されたコンテンツストリームは前記外部ネットワークからホームネットワーク２０４に受信されたりする。
【００３６】
段階３０２で、送信元ノード２０５は、前記暗号化されたコンテンツストリームを受信した宛先ノード２０６の認証要請に対して接近有効性を確認する。このとき、送信元ノード２０５は、宛先ノード２０６の認証のために中継ノード２０７との接近有効性を確認し、中継ノード２０７は宛先ノード２０６との接近有効性を確認したりする。すなわち、前記コンテンツを送信するためのリンク上の互いに隣接するノード間に前記接近有効性を確認する。
【００３７】
このような前記接近有効性は、ＩＥＥＥ８０２  ＡＶＢが含むＤＴＣＰを用いて確認することができる。上述したように、前記ＩＥＥＥ８０２  ＡＶＢは、距離測定方法を用いて測定された前記隣接するノード間の物理的距離を接近媒介変数とする接近制御メカニズムを含むことがある。例えば、ＩＥＥＥ８０２．１ＡＳ、ＩＥＥＥ８０２．１１ｖ、Ｉｅｅｅ８０２．１１ｋおよびＩＥＥＥ８０２．ｘｘなどの標準は、前記物理的距離を測定するための同一の機能を有している。
【００３８】
このような正確な時間−同期化の特性を有するＩＥＥＥ８０２技術は、未決定の距離間でサービスドメインの境界、すなわち終端間のコンテンツ送信を達成することができる。現在、前記距離は、ハードウェアプロトタイプテストによる証明を通じて約３０フィートのターゲット値を有したりしている。
【００３９】
段階３０３で、送信元ノード２０５は、前記接近有効性が確認されたリンクを介して宛先ノード２０６に装置ＡＫＥ（Authentication and Key Encrypted indicator）を送信し、前記装置ＡＫＥを介して認証された宛先ノード２０６に前記ＥＭＩセットを含まない暗号化されたコンテンツストリームを送信する。すなわち、宛先ノード２０６は、前記装置ＡＫＥを介して認証され、前記暗号化されたコンテンツストリームをデコードすることができる。
【００４０】
混合接近制御ドメイン２０２は、上述した単一接近制御ドメイン２０１で用いられる接近制御メカニズムだけではなく、追加接近制御メカニズムを含むことがある。このような前記追加接近制御メカニズムは、単一接近制御ドメイン２０１が含む中継ノード２０７とホームネットワーク２０４に含まれない移動通信端末機などの宛先ノード２０８との間を連結するためにエッジノード２０９を含んだりし、エッジノード２０９は、中継ノード２０７および宛先ノード２０８の間に前記追加接近制御メカニズムを遂行したりする。
【００４１】
このような前記追加接近制御メカニズムは、ＤＬＮＡ（Digital Living Network Alliance）で用いられる多くの場合に対する条件的な拡張が可能である。ＤＬＮＡとは、世界ホームネットワーク商用化を導く新しい公式的協力体であって、２００３年６月に設立されたＤＨＷＧ（Digital Home Working Group）を改称して新たに設立されたものである。
【００４２】
これは、すでに構築されている公開業界標準に基づいて相互互換が可能なプラットホームを構築し、業界間の集結を実現することを目標としている。したがって、家電製品、個人用コンピュータ（PC）、無線機器製造企業などで広く用いられているＩＰ、ＨＴＴＰ、ＵＰｎＰ、Ｗｉ−Ｆｉなどの業界標準に基づいた企業のガイドライン導入を促進するものと予想され、ＤＬＮＡガイドラインに従って設計された製品は、音楽、写真、ビデオなどのメディアコンテンツをホームネットワークを介して互いに自由に共有することができるようになる。
【００４３】
すなわち、前記追加接近制御メカニズムは、ＩＥＥＥ１３９４、無線ＩＥＥＥ１３９４、ブルートゥース、ＵＳＢまたは無線ＵＳＢなどを用いた接近制御メカニズムを含んだり、単一接近制御ドメイン２０１で用いられる接近制御メカニズムに含まれたりする。このようなドメインを混合接近制御ドメイン２０２として用いることができる。
【００４４】
図４は、混合接近制御ドメインにおける接近制御方法を説明するための一例である。
【００４５】
段階４０１で、コンテンツを送信する送信元ノード２０５または２０６は、宛先ノード２０８のコンテンツ要請に従ってＥＭＩセットを含む暗号化されたコンテンツストリームを宛先ノード２０８に送信する。このとき、ホームネットワーク２０４を介して連結された家電製品である送信元ノード２０６の場合、前記暗号化されたコンテンツストリームは前記家電製品が含むコンテンツに基づいて生成され、前記セットップボックスである送信元ノード２０５の場合、前記暗号化されたコンテンツストリームは前記外部ネットワークからホームネットワーク２０４に受信されたりする。
【００４６】
段階４０２で、送信元ノード２０５または２０６は、前記暗号化されたコンテンツストリームを受信した宛先ノード２０８の認証要請に対して接近有効性を確認する。このとき、送信元ノード２０５または２０６は、宛先ノード２０８の認証のために中継ノード２０７との接近有効性を確認し、中継ノード２０７は、追加接近制御メカニズムを遂行するエッジノード２０９との接近有効性を確認したりする。
【００４７】
また、エッジノード２０９は、宛先ノード２０８との接近有効性を確認することがある。このとき、エッジノード２０９と宛先ノード２０８は、ＩＥＥＥ１３９４、無線ＩＥＥＥ１３９４、ブルートゥース、ＵＳＢまたは無線ＵＳＢなどの多様な方法を介して互いに連結されたりする。このようなリンクのタイプによって、前記多様な方法のうちの一つの方法を用いて前記接近有効性を確認することができる。
【００４８】
このように、段階４０２では、前記コンテンツを送信するためのリンク上の互いに隣接するノード間に前記接近有効性を確認する。
【００４９】
このような前記接近有効性は、ＩＥＥＥ８０２  ＡＶＢが含むＤＴＣＰを用いて確認されたりする。上述したように、前記ＩＥＥＥ８０２  ＡＶＢは、距離測定方法を用いて測定された前記隣接するノード間の物理的距離を接近媒介変数にする接近制御メカニズムを含むことがある。上述したように、ＩＥＥＥ８０２．１ＡＳ、ＩＥＥＥ８０２．１１ｖ、Ｉｅｅｅ８０２．１１ｋおよびＩＥＥＥ８０２．ｘｘなどの標準は、前記物理的距離を測定するための同一の機能を有している。
【００５０】
このような正確な時間−同期化の特性を有するＩＥＥＥ８０２技術は、未決定の距離間でサービスドメインの境界、すなわち終端間のコンテンツ送信を達成することができる。現在、前記距離は、ハードウェアプロトタイプテストによる証明を介して約３０フィートのターゲット値を有したりする。
【００５１】
ネットワーク基盤サービスドメイン２０３は、接近制御のための中継制御ノード２０５を含むことがあり、中継制御ノード２０５は、コンテンツを送信するＣＰ（Content Provider）ノード２１０によって認証される。このとき、中継制御ノード２０５は、前記ＣＰと前記コンテンツの宛先ノードを含むホームネットワークとの間で中継役割を遂行するセットップボックスを含んだりする。
【００５２】
すなわち、中継制御ノード２０５は、単一接近制御ドメイン２０１および混合接近制御ドメイン２０２における送信元ノード２０５であったりする。よって、ネットワーク基盤サービスドメイン２０３は、単一接近制御ドメイン２０１または混合接近制御ドメイン２０２をさらに含むことができる。
【００５３】
図５は、ネットワーク基盤サービスドメインにおける接近制御方法を説明するための一例である。
【００５４】
段階５０１で、ＣＰノード２１０は、中継制御ノード２０５と認証プロセスを遂行する。すなわち、ＣＰノード２１０と中継制御ノード２０５との間のリンクは距離を測定する必要がなく、ＣＰノード２１０で提供される認証方法を介して中継制御ノード２０５を認証することで、接近制御を遂行することができる。
【００５５】
段階５０２で、ＣＰノード２１０は、宛先ノード２０６のコンテンツ要請に従ってＥＭＩセットを含む暗号化されたコンテンツストリームを宛先ノード２０６または２０８に送信する。このとき、中継制御ノード２０５は、前記暗号化されたコンテンツストリームを外部ネットワークから受信してホームネットワーク２０４に伝達する中継の役割を遂行したりする。
【００５６】
段階５０３で、ＣＰノード２１０は、中継制御ノード２０５に装置ＡＫＥを送信する。前記装置ＡＫＥは宛先ノード２０６または２０８に送信するためのものであって、ホームネットワーク２０４内のリンクに対する接近有効性が確認された後、中継制御ノード２０５から宛先ノード２０６または２０８に送信されたりする。
【００５７】
段階５０４で、ネットワーク基盤サービスドメイン２０３が単一接近制御ドメイン２０１を含む場合、すなわち宛先ノード２０６を含む場合、中継制御ノード２０５は中継ノード２０７との接近有効性を確認し、中継ノード２０７は宛先ノード２０６との接近有効性を確認する。
【００５８】
また、ネットワーク基盤サービスドメイン２０３が混合接近制御ドメイン２０２を含む場合、すなわち宛先ノード２０８を含む場合、中継制御ノード２０５は中継ノード２０７との接近有効性を確認し、中継ノード２０７は追加接近制御メカニズムを遂行するエッジノード２０９との接近有効性を確認したりする。これに加えてエッジノード２０９は、前記追加接近制御メカニズムを用いて宛先ノード２０８との接近有効性を確認したりする。
【００５９】
上述したように、前記接近有効性は、ＩＥＥＥ８０２  ＡＶＢが含むＤＴＣＰを用いて確認することができる。上述したように、前記ＩＥＥＥ８０２  ＡＶＢは、距離測定方法を用いて測定された前記隣接するノード間の物理的距離を接近媒介変数とする接近制御メカニズムを含んだりする。例えば、ＩＥＥＥ８０２．１ＡＳ、ＩＥＥＥ８０２．１１ｖ、Ｉｅｅｅ８０２．１１ｋおよびＩＥＥＥ８０２．ｘｘなどの標準は、前記物理的距離を測定するための同一の機能を有している。
【００６０】
段階５０５で、中継制御ノード２０５は、接近有効性が確認されたリンクを介してＣＰノード２１０から受信した前記装置ＡＫＥを宛先ノード２０６または２０８に送信する。すなわち、宛先ノード２０６または２０８は前記装置ＡＫＥを介して認証され、前記暗号化されたコンテンツストリームをデコードすることができる。
【００６１】
このように、本発明の接近制御方法を介して、コンテンツを送信するためにＩＥＥＥ８０２．１ＡＳに基づいたホームネットワークで接近制御を遂行することができ、前記ホームネットワークの互いに隣接するノード間に正確な物理的距離を測定し、前記物理的距離を用いて前記ノード間に接近有効性を確認することができる。
【００６２】
また、前記接近有効性が確認されたノード間のリンクを介してコンテンツを送信し、前記コンテンツが有効な距離に対してのみ送信されるようにすることで、前記コンテンツに対するＤＲＭ（Digital Rights Management）を遂行することができる。
【００６３】
図６は、本発明の第２実施形態において、ホームネットワークに含まれたそれぞれのノードを説明するための図である。
【００６４】
ホームネットワーク６００において、ホームネットワーク６００に含まれたそれぞれのノード６０１ないし６０３は、コンテンツが送信されるリンク上に存在する前ノードまたは次ノードとの接近有効性を確認する接近有効性確認部６０５を含む。
【００６５】
このとき、接近有効性確認部６０５は、所定の（predetermined）距離測定方法を介して測定された物理的距離を接近媒介変数として用いて前記接近有効性を確認することができ、前記距離測定方法は、ＩＰが含む第１ＤＴＣＰを初期参照モデルとする第２ＤＴＣＰを用いたりする。
【００６６】
例えば、ノード６０２は、前記距離測定方法を介して測定されたノード６０１、ノード６０３またはノード６０４との物理的距離を接近媒介変数として用いてノード６０１、ノード６０３またはノード６０４に対する接近有効性を確認したりする。
【００６７】
このとき、ノード６０１ないし６０４は、（１）ホームネットワーク６００に連結された家電製品、（２）セットップボックスを含む中継制御ノード、（３）ＩＥＥＥ８０２  ＡＶＢを含む中継ノード、（４）ＩＥＥＥ１３９４、無線ＩＥＥＥ１３９４、ブルートゥース、ＵＳＢまたは無線ＵＳＢと関連したメカニズムを含むエッジノードであったりする。
【００６８】
図６に示されたように、ノード６０３が前記家電製品である場合、ノード６０３はホームネットワーク６００内でコンテンツを送信するための送信元ノードであったり、前記コンテンツを受信するための宛先ノードであったりする。
【００６９】
また、ノード６０１が中継制御ノードである場合、ノード６０１は外部ネットワーク６０６とホームネットワーク６００との間の接近制御を遂行する中継の役割を遂行したりする。このような前記中継制御ノードの接近有効性は、外部ネットワーク６０６を介してコンテンツを送信するＣＰノード６０７を介して確認されることができる。このとき、前記接近有効性は、ＣＰノード６０７と前記中継制御ノード間の距離を用いず、ＣＰノード６０７で提供する認証方法を用いたりする。
【００７０】
これに加え、ノード６０２が前記中継ノードである場合、ノード６０２はコンテンツを送信する送信元ノードと前記コンテンツを受信する宛先ノードとの間に論理的なポイントツーポイント連結が可能なドメインである単一接近制御ドメインで交換網の役割を遂行することがある。例えば、中継ノードであるノード６０２は、送信元ノード６０１と宛先ノード６０３との間のコンテンツ送信のための交換網の役割を遂行したりする。
【００７１】
最後に、ノード６０４がホームネットワーク６００に含まれない移動通信端末機などの外部ノード６０８との連結のための前記エッジノードである場合、ノード６０４は、中継ノード６０２および外部ノード６０８の間に追加接近制御メカニズムを遂行したりする。
【００７２】
このような前記追加接近制御メカニズムは、ＤＬＮＡ（Digital Living Network Alliance）で用いられる多くの場合に対する条件的な拡張が可能である。また、前記追加接近制御メカニズムは、ＩＥＥＥ１３９４、無線ＩＥＥＥ１３９４、ブルートゥース、ＵＳＢまたは無線ＵＳＢなどを用いた接近制御メカニズムを含んだりする。
【００７３】
このように、本発明のホームネットワークに含まれたそれぞれのノードを介してコンテンツを送信するためにＩＥＥＥ８０２．１ＡＳに基づいたホームネットワークで接近制御を遂行することができ、前記ホームネットワークの互いに隣接するノード間に正確な物理的距離を測定し、前記物理的距離を用いて前記ノード間に接近有効性を確認することができる。
【００７４】
また、前記接近有効性が確認されたノード間のリンクを介してコンテンツを送信し、前記コンテンツが有効な距離に対してのみ送信されるようにすることで、前記コンテンツに対するＤＲＭ（Digital Rights Management）を遂行することができる。
【００７５】
図７は、本発明の第３実施形態において、ＣＰノードとホームネットワークとの間の中継を制御する中継制御ノードの内部構成を説明するためのブロック図である。図７に示されたように、中継制御ノード７００は、認証プロセス処理部７０１、接近有効性確認部７０２、送受信部７０３および装置ＡＫＥ処理部７０４を含む。
【００７６】
認証プロセス処理部７０１は、コンテンツを提供するＣＰノードとの認証プロセスを遂行する。外部ネットワークとホームネットワークを連結する中継制御ノード７００は、ホームネットワーク内の他のノードに対する認証のために中継制御ノード７００および前記他のノード間に物理的距離を用いた接近有効性を確認するが、前記ＣＰノードとは前記ＣＰノードで提供される前記認証プロセスを用いて認証される。このような前記認証プロセスを介して、前記ＣＰノードと中継制御ノード７００との間には前記物理的距離を測定しない。
【００７７】
接近有効性確認部７０２は、前記コンテンツが送信されるリンク上に存在する次ノードとの接近有効性を確認する。このとき、接近有効性確認部７０２は、所定の（predetermined）距離測定方法を介して測定された物理的距離を接近媒介変数として用いて前記接近有効性を確認することができ、前記距離測定方法は、ＩＰが含む第１ＤＴＣＰを初期参照モデルとする第２ＤＴＣＰを含んだりする。
【００７８】
すなわち、前記ホームネットワーク内のそれぞれのノードに対する物理的距離を用いて接近有効性を確認することで、前記ＣＰノードは送信しようとするコンテンツに対するＤＲＭを遂行することができる。
【００７９】
送受信部７０３は、暗号化されたコンテンツストリームを前記ＣＰノードから受信して前記コンテンツの宛先ノードに送信する。このとき、前記暗号化されたコンテンツストリームは、前記宛先ノードが認証されない場合にはＥＭＩセットを含むことがある。
【００８０】
装置ＡＫＥ処理部７０４は、前記接近有効性が確認されたリンクを介して前記宛先ノードに装置ＡＫＥを送信する。このとき、装置ＡＫＥ処理部７０４は、前記リンク内に存在するすべてのノード間の接近有効性が確認された後、前記宛先ノードに前記装置ＡＫＥを送信することができる。前記宛先ノードは、このような前記装置ＡＫＥを介して前記コンテンツの送信を受けるために認証されることがあり、前記暗号化されたコンテンツストリームのデコードのためのキーを得ることができるようになる。
【００８１】
このとき、本明細書において“移動通信端末機”とは、ＰＤＣ（Personal Digital Cellular）フォン、ＰＣＳ（Personal Communication Service）フォン、ＰＨＳ（Personal Handy phone System）フォン、ＣＤＭＡ−２０００（1X、3X）フォン、ＷＣＤＭＡ（Wideband CDMA）フォン、デュアルバンド／デュアルモード（Dual Band/Dual Mode）フォン、ＧＳＭ（Global Standard for Mobile）フォン、ＭＢＳ（Mobile Broadband System）フォン、ＤＭＢ（Digital Multimedia Broadcasting）フォン、スマート（Smart）フォン、携帯電話などのような通信機能が含まれる携帯用機器、ＰＤＡ（Personal Digital Assistant）、ハンドヘルドＰＣ（Hand-Held PC）、ノート型パソコン、ラップトップ型コンピュータ、ワイブロ（WiBro）端末機、ＭＰ３プレーヤ、ＭＤプレーヤなどのような携帯端末機、また国際ローミング（Roaming）サービスと拡張された移動通信サービスを提供するＩＭＴ−２０００（International Mobile Telecommunication-2000）端末機などを含むすべての種類のハンドヘルド基盤の無線通信装置を指す携帯用電気電子装置であって、ＣＤＭＡ（Code Division Multiplexing Access）モジュール、ブルートゥース（Bluetooth）モジュール、赤外線通信モジュール（Infrared Data Association）、有無線ＬＡＮカードおよびＧＰＳ（Global Positioning System）を介した位置追跡を可能にするためにＧＰＳチップが搭載された無線通信装置のような所定の通信モジュールを備えることができ、マルチメディア再生機能の遂行が可能なマイクロプロセッサを搭載することで一定の演算動作を遂行することができる端末機を通称する概念として解釈される。
【００８２】
本発明に係る実施形態は、コンピュータにより具現される多様な動作を実行するためのプログラム命令を含むコンピュータ読み取り可能な媒体を含む。前記媒体は、プログラム命令、データファイル、データ構造などを単独または組み合わせて含むこともできる。前記媒体およびプログラム命令は、本発明の目的のために特別に設計されて構成されたものでもよく、コンピュータソフトウェア分野の技術を有する当業者にとって公知であり使用可能なものであってもよい。コンピュータ読み取り可能な記録媒体の例としては、ハードディスク、フロッピー（登録商標）ディスクおよび磁気テープのような磁気媒体（magnetic media）、ＣＤ−ＲＯＭ、ＤＶＤのような光記録媒体（optical media）、フロプティカルディスク（floptical disk）のような磁気−光媒体（magneto-optical media）、およびＲＯＭ、ＲＡＭ、フラッシュメモリなどのようなプログラム命令を保存して実行するように特別に構成されたハードウェア装置が含まれる。前記媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。前記したハードウェア要素は、本発明の動作を実行するために一以上のソフトウェアモジュールとして作動するように構成され、その逆も同様である。
【００８３】
上述したように、本発明の好ましい実施形態を参照して説明したが、該当の技術分野の当業者にとっては、特許請求の範囲に記載された本発明の思想および領域から逸脱しない範囲内で、本発明を多様に修正および変更させることができることを理解することができる。
【００８４】
すなわち、本発明の技術的範囲は、特許請求の範囲に基づいて定められ、発明を実施するための最良の形態により制限されるものではない。
【図面の簡単な説明】
【００８５】
【図１】従来技術において、ホームネットワークにおけるＤＲＭ技術を説明するための一例である。
【図２】本発明の第１実施形態において、接近制御方法を説明するための図である。
【図３】単一接近制御ドメインにおける接近制御方法を説明するための一例である。
【図４】混合接近制御ドメインにおける接近制御方法を説明するための一例である。
【図５】ネットワーク基盤サービスドメインにおける接近制御方法を説明するための一例である。
【図６】本発明の第２実施形態において、ホームネットワークに含まれたそれぞれのノードを説明するための図である。
【図７】本発明の第３実施形態において、ＣＰノードとホームネットワークとの間の中継を制御する中継制御ノードの内部構成を説明するためのブロック図である。
【符号の説明】
【００８６】
２００    全体ネットワーク
２０１    単一接近制御ドメイン
２０２    混合接近制御ドメイン
２０３    ネットワーク基盤サービスドメイン
２０４    ホームネットワーク
２０５    中継制御ノード
２０７    中継ノード
２０９    エッジ（edge）ノード
２１０    ＣＰノード
【図２】
2008141717.tif 000003
【図３】
2008141717.tif 000004
【図４】
2008141717.tif 000005
【図５】
2008141717.tif 000006
【図６】
2008141717.tif 000007
【図７】
2008141717.tif 000008
【図１】
2008141717.tif 000009